(57)【要約】【課題】見栄えの良い照明装置を提供する。【解決手段】ハーフミラー３がリングＬＥＤ２の正面に配置されている。ミラー４が、ハーフミラー３の背面に配置されている。これらハーフミラー３及びミラー４は、リングＬＥＤ２からの光がハーフミラー３及びミラー４との間で反射を繰り返すことにより、リングＬＥＤ２の背後にリングＬＥＤ２の虚像が複数視認されるように設けられている。また、ハーフミラー３は、背面側に凸の凸面鏡となるような曲面に設けられている。【選択図】図３
2016143471.tif 000002
【特許請求の範囲】
【請求項１】
第１の光源と、
前記１の光源の正面に配置されたハーフミラーと、
前記ハーフミラーの背面に配置されたミラーと、を備え、
前記第１の光源からの光が前記ハーフミラー及び前記ミラーとの間で反射を繰り返すことにより、前記第１の光源の背後に前記第１の光源の虚像が複数視認されるように、前記ハーフミラー及び前記ミラーが設けられた
ことを特徴とする照明装置。
【請求項２】
前記第１の光源は、複数がリング状に並べて設けられ、
前記ハーフミラーは、背面側に凸の凸面鏡となるような曲面に設けられている
ことを特徴とする請求項１に記載の照明装置。
【請求項３】
前記リングの中央部に配置された第２の光源を備え、
前記ハーフミラーは、前記第２の光源を通す孔が設けられている
ことを特徴とする請求項２に記載の照明装置。
【請求項４】
前記第２の光源の側面を囲む遮光部材から成る囲み部を備え、
前記囲み部には、複数のスリットが形成されている
ことを特徴とする請求項３に記載の照明装置。
【発明の詳細な説明】
【技術分野】
【０００１】
本発明は、照明装置に関するものである。
【背景技術】
【０００２】
上述した照明装置として、例えば車両に搭載されるフォグランプなどがある。上述した照明装置は、単にランプの光が視認されるだけで見栄えに面白みがない、という問題があった。
【発明の概要】
【発明が解決しようとする課題】
【０００３】
そこで、本発明は、見栄えの良い照明装置を提供することを課題とする。
【課題を解決するための手段】
【０００４】
上記課題を解決するためになされた請求項１記載の発明は、第１の光源と、前記１の光源の正面に配置されたハーフミラーと、前記ハーフミラーの背面に配置されたミラーと、を備え、前記第１の光源からの光が前記ハーフミラー及び前記ミラーとの間で反射を繰り返すことにより、前記第１の光源の背後に前記第１の光源の虚像が複数視認されるように、前記ハーフミラー及び前記ミラーが設けられたことを特徴とする照明装置に存する。
【０００５】
請求項２記載の発明は、前記第１の光源は、複数がリング状に並べて設けられ、前記ハーフミラーは、背面側に凸の凸面鏡となるような曲面に設けられていることを特徴とする請求項１に記載の照明装置に存する。
【０００６】
請求項３記載の発明は、前記リングの中央部に配置された第２の光源を備え、前記ハーフミラーは、前記第２の光源を通す孔が設けられていることを特徴とする請求項２に記載の照明装置に存する。
【０００７】
請求項４記載の発明は、前記第２の光源の側面を囲む遮光部材から成る囲み部を備え、前記囲み部には、複数のスリットが形成されていることを特徴とする請求項３に記載の照明装置に存する。
【発明の効果】
【０００８】
以上説明したように請求項１記載の発明によれば、第１の光源からの光がハーフミラー及びミラーとの間で反射を繰り返すことにより、第１の光源の背後に第１の光源の虚像が複数視認されるようになるので、見栄えを向上できる。
【０００９】
請求項２記載の発明によれば、ハーフミラーは、背面側に凸の凸面鏡となるような曲面に設けられている。これにより、リングの虚像が背面に向かうに従って段々小さくなるように視認されるため、より一層、見栄えを向上できる。
【００１０】
請求項３記載の発明によれば、第２の光源からの光がハーフミラーで反射されることがない。
【００１１】
請求項４記載の発明によれば、第２の光源の側面を囲む遮光部材から成る囲み部に複数のスリットが形成される。これにより、スリットから漏れた光が第２の光源を中心とした放射状に視認され、より一層、見栄えを向上できる。
【図面の簡単な説明】
【００１２】
【図１】本発明の照明装置の一実施形態を示す分解斜視図である。
【図２】図１に示す照明装置の斜視図である。
【図３】図２のＩ−Ｉ線断面図である。
【図４】図１に示す照明装置の見え方を説明するための図である。
【図５】図１に示す照明装置の見え方を説明するための図である。
【発明を実施するための形態】
【００１３】
以下、本発明の照明装置について、図１〜図３を参照して説明する。図１は、本発明の照明装置の一実施形態を示す分解斜視図である。図２は、図１に示す照明装置の斜視図である。図３は、図２のＩ−Ｉ線断面図である。
【００１４】
同図に示す照明装置１は、例えば車両のフォグランプ設置個所に設けられる。同図に示すように、照明装置１は、リングＬＥＤ２と、リングＬＥＤ２の正面に配置されたハーフミラー３と、ハーフミラー３の背面に配置されたミラー４と、リングＬＥＤ２の中央部に配置されたＬＥＤ５と、ハーフミラー３の正面に配置された意匠部品６と、これらを収容するケース７と、を備えている。
【００１５】
リングＬＥＤ２は、例えば夜間に装飾光として点灯するために設けられている。リングＬＥＤ２は、リング状の基板と、基板上にリング状に並べられた第１の光源としての複数のＬＥＤ（何れも図示せず）と、から構成されている。リングＬＥＤ２としては、複数のＬＥＤが露出されていてもよいし、複数のＬＥＤの正面を覆うリング状の拡散板が設けられた構成であってもよい。
【００１６】
ハーフミラー３は、リングＬＥＤ２からの光の一部を反射し、一部を透過させる。ハーフミラー３は、リングＬＥＤ２の外径よりも少し径の大きい円板状に設けられ、背面側に凸の凸面鏡となるような曲面に設けられている。ハーフミラー３は、その凸面鏡の頂点部に後述するＬＥＤ５を通す孔３１が設けられている。この孔３１からＬＥＤ５が突出して配置される。
【００１７】
ミラー４は、リングＬＥＤ２の内径よりも径の小さい円板状に設けられ、リングＬＥＤ２の内側に配置されている。ミラー４は、平板状に設けられ、中央に後述するＬＥＤ５を通す孔４１が設けられている。
【００１８】
ＬＥＤ５は、例えばデイライトとして点灯するために設けられている。ＬＥＤ５は、ハーフミラー３の孔３１及びミラー４の孔４１に通され、ハーフミラー３よりも正面側に突出して配置されている。ＬＥＤ５は、レンズ付きのＬＥＤから構成され、側面からも光が照射される。
【００１９】
意匠部品６は、例えば遮光部材から構成され、ＬＥＤ５の正面に配置される。意匠部品６は、ＬＥＤ５の光軸回りを縁取る小縁取り部６１と、ハーフミラー３の正面に配置され、ハーフミラー３の外縁を縁取る大縁取り部６２と、小縁取り部６１及び大縁取り部６２を連結する連結部６３と、から構成されている。本実施形態では、連結部６３は３本設けられ、ＬＥＤ５を中心とした放射状に形成されている。
【００２０】
ケース７は、遮光部材から構成された受皿状のケース本体７１と、ケース本体７１の正面開口を覆う透光部材から構成されたクリアレンズ７２と、を備えている。ケース本体７１は、円板状の底壁７１ａと、底壁７１ａから正面に向かって立設する周壁７１ｂと、を備えている。
【００２１】
上記底壁７１ａには、上述したリングＬＥＤ２及びミラー４が搭載されている。底壁７１ａには、リングＬＥＤ２の内縁、及び、ミラー４の外縁の全周に沿って立設する立壁７１ｃが設けられている。この立壁７１ｃの外側にリングＬＥＤ２が配置され、内側にミラー４が配置される。
【００２２】
また、底壁７１ａには、ＬＥＤ５を通す孔７１ｄが設けられ、この孔７１ｄを囲むように囲い部７１ｅが正面に向かって立設している。囲い部７１ｅは、ハーフミラー３よりも正面に突出する高さに立設されている。そして、この囲い部７１ｅには、ＬＥＤ５の光軸方向に沿ったスリット７１ｆが複数設けられている。スリット７１ｆは、囲い部７１ｅの正面側の端部まで延在している。スリット７１ｆは少なくとも一部が、ハーフミラー３よりも正面側の囲い部７１ｅに設けられている。
【００２３】
立壁７１ｃには、段差部７１ｇが設けられる。ハーフミラー３は、その外縁部が段差部７１ｇ上に搭載される。図３に示すように、意匠部品６は、大縁取り部６２の外縁部がケース本体７１とクリアレンズ７２との間に挟まれて支持される。ハーフミラー３は、その外縁部が立壁７１ｃと意匠部品６の大縁取り部６２との間に挟まれて支持される。
【００２４】
次に、上述した構成の照明装置１の見え方について図４を参照して説明する。本実施形態の照明装置１は、例えば車両のイグニッションオンに応じてリングＬＥＤ２又はＬＥＤ５を点灯し、イグニッションオフに応じて消灯する。また、照明装置１は、ヘッドライトがオフされていれば昼間であると判定しリングＬＥＤ２を消灯すると共にＬＥＤ５を点灯し、ヘッドライトがオンされていれば夜間であると判定しＬＥＤ５を消灯すると共にリングＬＥＤ２を点灯する。
【００２５】
まず、ＬＥＤ５をオンしたときの見え方について図４を参照して説明する。ＬＥＤ５を点灯すると、ＬＥＤ５からの光が正面に照射され、ＬＥＤ５が光輝して視認される。また、図３の矢印で示すようにＬＥＤ５の側面から照射される光が囲い部７１ｅのスリット７１ｆから漏れ、ハーフミラー３で正面に向かって反射される。このため、図４に示すように、スリット７１ｆの虚像Ｌ１がＬＥＤ５を中心とした放射状に光輝して視認されるため、より一層見栄えが良くなる。
【００２６】
また、上述したようにハーフミラー３は背面側に向かって凸の凸面鏡となる曲面に形成される。言い換えると、ハーフミラー３は正面側に向かって凹の凹面鏡となる曲面に形成されている。即ち、スリット７１ｆから漏れた光がハーフミラー３で反射される際に凹面鏡として正面に反射する。このため、虚像Ｌ１は、ＬＥＤ５から離れるに従って正面側に向かうように視認される。
【００２７】
次に、リングＬＥＤ２をオンしたときの見え方について図５を参照して説明する。リングＬＥＤ２をオンすると、一部の光がハーフミラー３を透過して正面に照射するため、リングＬＥＤ２の実像が光輝して視認される。一方、リングＬＥＤ２からの光の一部は、ハーフミラー３で背面に向かって反射され、その後ミラー４で反射される。ミラー４で反射された光の一部がハーフミラー３を透過して正面に照射するため、リングＬＥＤ２の実像の反射経路分後ろにリングＬＥＤ２の虚像Ｌ２１が視認して見える。
【００２８】
また、ミラー４で反射された光の一部がハーフミラー３で背面に向かって反射され、その後ミラー４で反射される。ミラー４で反射された光の一部がハーフミラー３を透過して正面にするため、リングＬＥＤ２の虚像Ｌ２１のさらに後ろにリングＬＥＤ２の虚像Ｌ２２が視認して見える。なお、図５においては、２つの虚像Ｌ２１、Ｌ２２しか図示していないが、虚像としては３つ以上視認できるようにしてもよい。
【００２９】
上述したように、リングＬＥＤ２からの光がハーフミラー３及びミラー４との間で反射を繰り返すことにより、リングＬＥＤ２の背後にリングＬＥＤ２の虚像Ｌ２１、Ｌ２２が複数視認されるようになるので、見栄えを向上できる。
【００３０】
また、上述したハーフミラー３は、背面に向かって凸の凸面鏡に設けられている。これにより、リングＬＥＤ２からの光がハーフミラー３及びミラー４との間で反射を繰り返す際に、ハーフミラー３が凸面鏡としてミラー４に反射する。これにより、リングＬＥＤ２の虚像Ｌ２１、Ｌ２２が背面に向かうに従って段々小さくなるように視認されるため、より一層、見栄えを向上できる。
【００３１】
なお、上述した実施形態によれば、ハーフミラー３は曲面に設けられていたが、これに限ったものではない。リングＬＥＤ２の背面に複数の虚像Ｌ２１、Ｌ２２が視認されるようなものであればよく、ハーフミラー３としては平面に設けてもよい。
【００３２】
また、上述した実施形態によれば、リングＬＥＤ２は円リング状に設けられていたが、これに限ったものではない。例えば、四角リング状に設けられていてもよいし、それ以上の多角リング状に設けてもよい。
【００３３】
また、上述した実施形態によれば、リングＬＥＤ２の中心にＬＥＤ５を配置していたが、これに限ったものではない。ＬＥＤ５は必須ではなく、なくてもよい。
【００３４】
また、上述した実施形態によれば、ＬＥＤ５の側面を囲む囲い部７１ｅを設け、囲い部７１ｅにスリット７１ｆを設けていたが、これに限ったものではない。囲い部７１ｅは必須ではなく、なくてもよい。
【００３５】
また、上述した実施形態では、照明装置１は車両のフォグランプ設置場所に設けられる例について説明していたが、これに限ったものではない。照明装置１の設置場所はこれに限定されるものではなく、例えば、車室内に設ける照明装置１に適用してもよい。
【００３６】
また、上述した実施形態では、第１の光源、第２の光源としてＬＥＤを用いていたが、これに限定されるものではない。第１の光源、第２の光源としては、上述した照明装置１と同等の効果を得られるような光源であればよく、例えば電球などであってもよい。
【００３７】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３８】
１  照明装置
２  リングＬＥＤ（第１の光源）
３  ハーフミラー
５  ＬＥＤ（第２の光源）
７１ｅ  囲い部
７１ｆ  スリット
【図１】
2016143471.tif 000003
【図２】
2016143471.tif 000004
【図３】
2016143471.tif 000005
【図４】
2016143471.tif 000006
【図５】
2016143471.tif 000007